(57)【要約】【課題】  測定を効率良く行い、また、正確な測定結果を得ることができる眼科測定装置を提供すること【解決手段】  被検眼の光学特性を測定する眼科測定装置において、測定する被検眼の左右の区別を入力する左右眼入力手段と、被検眼を測定したときの左右眼毎の測定条件又は測定結果の測定情報を被検者の識別情報と関連させて記憶するデータベースと、該データベースに記憶された被検者の識別情報を特定する特定手段と、該特定された識別情報により前記データベースに記憶された測定情報を呼び出す呼び出し手段と、該呼び出した測定情報と前記左右眼入力手段により入力された左右眼の区別情報とに基づいて、測定時に被検眼の測定条件の初期状態を設定する初期状態設定手段と、を備えることを特徴とする眼科測定装置。【選択図】      図１
2005137662.tif 000002
【特許請求の範囲】
【請求項１】
被検眼の光学特性を測定する眼科測定装置において、測定する被検眼の左右の区別を入力する左右眼入力手段と、被検眼を測定したときの左右眼毎の測定条件又は測定結果の測定情報を被検者の識別情報と関連させて記憶するデータベースと、該データベースに記憶された被検者の識別情報を特定する特定手段と、該特定された識別情報により前記データベースに記憶された測定情報を呼び出す呼び出し手段と、該呼び出した測定情報と前記左右眼入力手段により入力された左右眼の区別情報とに基づいて、測定時に被検眼の測定条件の初期状態を設定する初期状態設定手段と、を備えることを特徴とする眼科測定装置。
【請求項２】
請求項１の眼科測定装置は、被検眼眼底に光束を投影し、眼底からの反射光束を受光素子に受光して被検眼の屈折力を他覚的に測定する眼屈折力測定手段と、眼屈折力測定時に被検眼に呈示する固視標を光軸方向に移動して被検眼に雲霧を掛ける固視標光学系を備え、前記初期状態設定手段は前記呼び出し手段により呼び出した測定情報に基づいて前記固視標光学系の固視標の呈示位置を初期設定することを特徴とする眼科測定装置。
【請求項３】
請求項２の眼科測定装置は、初期設定した固視標の位置から所定量の雲霧量を掛けるように前記固視標を移動し、その固視標の位置を屈折力に換算した値とその固視標の位置で測定された屈折力との差を演算し、その差が所定範囲内であるときには、さらに所定量の雲霧量を掛けるように固視標を移動させる制御手段を備えることを特徴とする眼科測定装置。
【請求項４】
請求項１の眼科測定装置は、被検眼眼底に光束を投影し、眼底からの反射光束を受光素子に受光して被検眼の屈折力を他覚的に測定する眼屈折力測定光学系であって、測定光学系中の光学素子を被検眼の屈折力に応じて変化させる眼屈折力測定光学系を備え、前記初期状態設定手段は前記呼び出し手段により呼び出した測定情報に基づいて前記光学素子の測定条件を初期設定することを特徴とする眼科測定装置。
【請求項５】
請求項１の眼科測定装置は、被検眼の角膜に複数の円環状のプラチドリングを投影し、角膜に投影されたプラチドリング像を解析して被検眼の角膜形状を測定する角膜形状測定手段と、角膜形状測定時に角膜に投影するプラチドリングの照明光量を調整する光量調整手段を備え、前記データベースは角膜形状測定時の測定情報としてプラチドリングの照明光量を記憶し、前記初期状態設定手段は前記呼び出し手段により呼び出されたプラチドリングの照明光量に基づいて前記光量調整手段による光量を初期設定することを特徴とする眼科測定装置。
【請求項６】
被検眼眼底に光束を投影し、眼底からの反射光束を受光素子に受光して被検眼の屈折力を他覚的に測定する眼屈折力測定手段と、眼屈折力測定時に被検眼に呈示する固視標を光軸方向に移動して被検眼に雲霧を掛ける固視標光学系と、被検者の再診時に被検眼の前回の測定結果を入力する入力手段と、該入力された情報に基づいて前記固視標光学系の固視標の呈示位置を初期設定する初期状態設定手段と、初期設定した固視標の位置から所定量の雲霧量を掛けるように前記固視標を移動し、その固視標の位置を屈折力に換算した値とその固視標の位置で測定された屈折力との差を演算し、その差が所定範囲内であるときには、さらに所定量の雲霧量を掛けるように固視標を移動させる制御手段と、を備えることを特徴とする眼科測定装置。
【発明の詳細な説明】
【技術分野】
【０００１】
本発明は、眼屈折力及び角膜形状等の被検眼の光学特性を測定する眼科測定装置に関する。
【背景技術】
【０００２】
被検眼の光学特性を測定する装置としては、被検眼の眼底に光束を投影し、眼底からの反射光束を受光素子に受光させ、その出力に基づいて眼屈折力を測定する眼屈折力測定装置や、被検眼角膜に投影された多数の円環状のプラチドリングを撮像し、プラチドリング像を解析することにより詳細な角膜形状を測定する角膜形状測定装置が知られている（特許文献１）。
【特許文献１】特開平７−１２４１１３号公報
【発明の開示】
【発明が解決しようとする課題】
【０００３】
しかしながら、従来の眼科測定装置においては、測定開始時の測定条件の設定は、電源投入時と同じ初期状態であったので、次のような問題があった。
【０００４】
眼屈折力測定装置においては、眼屈折力測定時に被検眼に呈示する固視標を光軸方向に移動して被検眼に雲霧を掛ける。この固視標は、例えば、正視眼の０Ｄ（ディオプタ）を初期位置としているが、遠視眼の場合には、被検眼に調節が介入し、適切な雲霧状態で測定するためには測定を何度も行うなど、正確な測定結果を得るまでに時間が掛かる。近視眼の場合には、固視標がぼけて見えるため、被検眼の固視が安定しなかったり、調節が介入したりすることもある。雲霧が不充分であると、正確な測定が行えない。
【０００５】
角膜形状測定装置においては、アライメントを完了させた後に測定開始信号によりプラチドリングを発光させ、撮像されたプラチドリング像のコントラストが適切であるかを確認し、そのコントラストが適切で無い場合はプラチドリングの照明光量を調整する。しかし、この調光動作には時間を要するので、その間に被検眼が瞬きをしたり動いたりして、正確な測定結果を得難くなる。
【０００６】
本発明は、上記従来記述の問題点に鑑み、測定を効率良く行い、また、正確な測定結果を得ることができる眼科測定装置を提供することを技術課題とする。
【課題を解決するための手段】
【０００７】
（１）  被検眼の光学特性を測定する眼科測定装置において、測定する被検眼の左右の区別を入力する左右眼入力手段と、被検眼を測定したときの左右眼毎の測定条件又は測定結果の測定情報を被検者の識別情報と関連させて記憶するデータベースと、該データベースに記憶された被検者の識別情報を特定する特定手段と、該特定された識別情報により前記データベースに記憶された測定情報を呼び出す呼び出し手段と、該呼び出した測定情報と前記左右眼入力手段により入力された左右眼の区別情報とに基づいて、測定時に被検眼の測定条件の初期状態を設定する初期状態設定手段と、を備えることを特徴とする。
（２）  （１）の眼科測定装置は、被検眼眼底に光束を投影し、眼底からの反射光束を受光素子に受光して被検眼の屈折力を他覚的に測定する眼屈折力測定手段と、眼屈折力測定時に被検眼に呈示する固視標を光軸方向に移動して被検眼に雲霧を掛ける固視標光学系を備え、前記初期状態設定手段は前記呼び出し手段により呼び出した測定情報に基づいて前記固視標光学系の固視標の呈示位置を初期設定することを特徴とする。
（３）  （２）の眼科測定装置は、初期設定した固視標の位置から所定量の雲霧量を掛けるように前記固視標を移動し、その固視標の位置を屈折力に換算した値とその固視標の位置で測定された屈折力との差を演算し、その差が所定範囲内であるときには、さらに所定量の雲霧量を掛けるように固視標を移動させる制御手段を備えることを特徴とする。
（４）  （１）の眼科測定装置は、被検眼眼底に光束を投影し、眼底からの反射光束を受光素子に受光して被検眼の屈折力を他覚的に測定する眼屈折力測定光学系であって、測定光学系中の光学素子を被検眼の屈折力に応じて変化させる眼屈折力測定光学系を備え、前記初期状態設定手段は前記呼び出し手段により呼び出した測定情報に基づいて前記光学素子の測定条件を初期設定することを特徴とする。
（５）  （１）の眼科測定装置は、被検眼の角膜に複数の円環状のプラチドリングを投影し、角膜に投影されたプラチドリング像を解析して被検眼の角膜形状を測定する角膜形状測定手段と、角膜形状測定時に角膜に投影するプラチドリングの照明光量を調整する光量調整手段を備え、前記データベースは角膜形状測定時の測定情報としてプラチドリングの照明光量を記憶し、前記初期状態設定手段は前記呼び出し手段により呼び出されたプラチドリングの照明光量に基づいて前記光量調整手段による光量を初期設定することを特徴とする。
（６）  被検眼眼底に光束を投影し、眼底からの反射光束を受光素子に受光して被検眼の屈折力を他覚的に測定する眼屈折力測定手段と、眼屈折力測定時に被検眼に呈示する固視標を光軸方向に移動して被検眼に雲霧を掛ける固視標光学系と、被検者の再診時に被検眼の前回の測定結果を入力する入力手段と、該入力された情報に基づいて前記固視標光学系の固視標の呈示位置を初期設定する初期状態設定手段と、初期設定した固視標の位置から所定量の雲霧量を掛けるように前記固視標を移動し、その固視標の位置を屈折力に換算した値とその固視標の位置で測定された屈折力との差を演算し、その差が所定範囲内であるときには、さらに所定量の雲霧量を掛けるように固視標を移動させる制御手段と、を備えることを特徴とする。
【発明の効果】
【０００８】
本発明によれば、測定を効率良く行える。また、より正確な測定結果を得ることができる。
【発明を実施するための最良の形態】
【０００９】
以下、本発明の実施の形態を図面に基づいて説明する。図１は本発明に係る眼科測定装置の外観略図である。
【００１０】
１は固定基台であり、固定基台１には被検者の頭部を固定するための頭部支持部２が固設されている。５は測定光学系やアライメント光学系等が収納された測定部である。測定部５を搭載する本体部３はジョイスティック４の操作により固定基台１上を前後左右に摺動する。また、測定部５は、自動アライメントに対応できるように、モ−タやスライド機構等から構成される３次元駆動部６により本体部３に対して左右方向（Ｘ方向）・上下方向（Ｙ方向）・前後方向（Ｚ方向）に移動されるようになっている。ジョイスティック４に設けられた回転ノブ４ａを回転操作することにより、３次元駆動部６が作動し、測定部５は本体部３に対して上下に移動する。３９はカラーのモニタであり、観察用の被検眼像やアライメント情報、測定結果等の検者への報知情報が表示される。ジョイスティック４には測定開始のトリガ信号を入力する測定スイッチ４０が設けられている。
【００１１】
図２は、被検眼の左右眼検知機構（左右眼入力手段）の概略構成を説明する図であり、図は被検者側から装置を見たときのものである。固定基台１上には、左右の中心を境にして右側部分に一段高くなった平坦部１０が形成されている。一方、本体部３の左右の中央下にはマイクロスイッチ１１が設けられている。右眼を測定するために、本体部３が右側に移動されると、マイクロスイッチ１１が平坦部１０に導かれてＯＮとなり、測定する被検眼が右眼であることが検知される。本体部３が左側に移動されると、マイクロスイッチ１１が平坦部１０から外れ、出力信号がＯＦＦとなることにより、測定眼が左眼であることが検知される。なお、測定眼の左右はスイッチ操作で検者が入力指定することでも良い。
【００１２】
図３は測定部５に収納される光学系を示す図である。１０１は角膜形状測定用の指標を投影する光学系である。１０２は中央部に開口を持つ略半球状のプラチド板であり、光軸Ｌ１を中心にした同心円の多数の透光部と遮光部を持つリングパターンが形成されている。１０３はＬＥＤ等の可視光を発する照明光源で、光源１０３を発した光は反射板１０４で反射され、プラチド板１０２を背後からほぼ均一に照明するようになっている。患者眼角膜にはプラチドリング像が投影される。プラチド板１０２の外周には近赤外光を発する前眼部照明光源１０５が設けられている。
【００１３】
反射板１０４の背後には、光源１１１とレンズ１１２を備える作動距離検出用の指標投影光学系１１０、レンズ１１６と位置検出素子１１７を備える指標検出光学系１１５が配置されている。光源１１１からの光はレンズ１１２によって略平行光束にされ、反射板１０４及びプラチド板１０２に設けられた開口を通って患者眼角膜に斜め方向から照射され、角膜に光源１１１の指標像が投影される。角膜に形成された指標像の光束はプラチド板１０２及び反射板１０４に設けられた開口を通り、指標検出光学系１１５のレンズ１１６を介して位置検出素子１１７に入射する。位置検出素子１１７に入射した指標像の位置から装置に対する患者眼の作動距離のアライメント状態が検出される。
【００１４】
光軸Ｌ１上のビームスプリッタ２５の後方には眼屈折力測定光学系１２０が設けられている。眼屈折力測定光学系１２０の投影光学系は、ビームスプリッタ１２１、赤外照明光源１２２、回転セクタ１２３、投影レンズ１２４、絞り１２５から構成される。受光光学系は、ビームスプリッタ１２１の後方に受光レンズ１２６、絞り１２７、受光センサ部１２８から構成される。回転セクタ１２３にはその回転方向に対して４５度方向と１３５度方向の２種類のスリットが形成されている。光源１２２によりスリットは照明され、回転セクタ１２３の回転により走査されたスリット光束は投影レンズ１２４、絞り１２５、ビームスプリッタ１２１、及びビームスプリッタ２０を介して被検眼Ｅの角膜近傍で集光した後、眼底に投影される。
【００１５】
絞り１２７は受光レンズ１２６の後ろ側焦点位置に配置され、受光センサ部１２８は受光レンズ１２６に関して被検眼角膜と略共役な位置に配置される。受光センサ部１２８は光軸Ｌ１を挟んで対称に配置された２対の受光素子（４個の受光素子）を備える。各受光素子は光軸Ｌ１を中心に９０度間隔で設けられ、２．５ｍｍの瞳孔径で屈折力を測定できるように配置されている。回転セクタ１２３の回転により被検眼眼底には傾きが異なる２種類のスリット光束が投影される。眼屈折力は、一方のスリット光束が走査されたときの各対の受光素子による位相差信号と、もう一方のスリット光束が走査されたときの各対の受光素子による位相差信号とから、後述する制御部５０で算出される。
【００１６】
また、ビームスプリッタ２０により光軸Ｌ１と同軸にされる光軸Ｌ２上には、固視標呈示光学系を構成する対物レンズ２１、ハーフミラー２６、２７、レンズ２８、固視標２９、可視の照明光源３０が配置されている。また、固視標２９及び光源３０は光軸Ｌ２方向に移動可能であり、被検眼に固視させる固視標２９の視度を変更し、被検眼に雲霧を掛ける。
【００１７】
ハーフミラー２７により光軸Ｌ２と同軸にされる光軸Ｌ３上にはレンズ３３、光源３４が配置されており、光源３４の点灯により患者眼角膜に上下左右方向のアライメント用指標が投影される。ハーフミラー２６により光軸Ｌ２と同軸にされる光軸Ｌ４上には、レンズ３５、撮像素子であるＣＣＤカメラ３８が配置されており、ＣＣＤカメラ３８からの出力はモニタ３９に入力される。ＣＣＤカメラ３８は被検眼の前眼部観察用に使用される他、角膜に投影されるプラチドリング像の撮像用、光源３４により形成されるアライメント指標像の検出用として兼用される。
【００１８】
図４は本装置の制御系ブロック図である。５０は制御部であり、眼屈折力と角膜形状を求める演算をしたり、測定結果及び測定条件を出力したり、また、各駆動部の駆動制御を行う。制御部５０には、眼屈折力測定光学系１２０の受光センサ部１２８、ＣＣＤカメラ３８からの出力が入力される画像処理部５１、測定結果等を記憶するメモリ５３、モニタ３９、位置検出素子１１７、プラチドリングを投影する照明光源１０３を駆動し、その光量を調整する光量調光部１０３ａ、固視標２９を光軸方向に移動する駆動部３１、測定モード切換えスイッチ等の各種のスイッチを持つスイッチ部５２、マイクロスイッチ１１、３次元駆動部６、被検者のＩＤ番号や名前等の識別情報の入力を行う入力部５７と接続されている。入力部５７は、ＩＤ番号や名前を入力するためのキー入力装置を備えている。また、制御部５０は、被検者の識別情報と対応付けて測定結果や測定条件を記憶するデータベース部５５と接続されている。データベース部５５は、他の測定装置とも接続可能な外部装置とし、多数の被検者データを記憶・管理するものとして構成しても良い。また、データベース部５５は、公衆通信回線を介して本装置と離れた場所でデータを通信する構成でも良い。
【００１９】
以上のような構成を備える装置において、その動作を説明する。初めに、データベース部５５に被検者の測定情報が記憶・登録されていない新たな被検者を測定する場合を説明し、次に、その被検者が再来して測定する場合を説明する。また、ここでは、スイッチ部５２の測定モード切換えスイッチにより、初めに眼屈折力を測定し、続いて角膜形状を測定するコンビネーションモードを選択した場合を説明する。
【００２０】
測定に際し、被検者のＩＤ番号や名前を入力部５７により入力し、新既登録する。被検者の顔を頭部支持部２により固定し、本体部３を図２おける右方向に移動すると、マイクロスイッチ１１により測定する眼が右眼であることが検知される。この時、固視標２９の初期位置は、新たな被検者であるので、電源投入時と同じ０Ｄの位置に設定されている。
【００２１】
ジョイスティック４等の操作で本体部３のＸＺ移動及び測定部５のＹ移動によって粗くアライメントを行う。光源３４により角膜に形成された指標像がＣＣＤカメラ３８により検出されるようになると、制御部５０は指標像の座標位置を得てＸＹ方向のアライメント状態を検出し、被検眼に対して測定部５がアライメント完了するように、３次元駆動部６を駆動して測定部５をＸＹ移動する。また、制御部５０は位置検出素子１１７からの信号によりＺ方向のアライメント状態を得て、この情報に基づいて３次元駆動部６を駆動し、測定部５を前後方向に移動する。
【００２２】
アライメントが完了すると、制御部５０は自動的にトリガ信号を発して眼屈折力測定光学系１２０により測定を実行する。制御部５０は受光センサ部１２８が持つ各受光素子からの出力信号の位相差に基づいて、固視標２９が０Ｄの初期位置の状態で予備測定を行う。この予備測定で得られた屈折力に対して所定の雲霧量分（例えば、１．６Ｄ分）だけ固視標２９を遠方に移動し、被検眼に雲霧を掛けた状態で屈折力を得る。そして、この測定で得られた屈折力と固視標２９の移動位置を屈折力に換算した値との差を演算する。その差が０．５Ｄ以内のときは、被検眼に掛けた雲霧が十分でないので、この測定結果に基づいて、さらに所定の雲霧量分の雲霧を掛けた状態で屈折力値を測定する。測定された屈折力値と固視標２９の雲霧位置を屈折力に換算した値との差が０．５Ｄより大きければ、調節力が解除されているので、これを測定結果とする。その測定結果は、測定眼である右眼の測定結果としてメモリ５３に記憶される。
【００２３】
眼屈折力測定後は角膜形状測定モードに移行する。眼屈折力測定時と同様に、制御部５０の制御により測定部５の自動アライメントが行われ、アライメントが完了するとその旨がモニタ３９に表示される。検者はモニタ３９に表示された被検眼像を観察して瞬き等が無いことを確認し、測定開始スイッチ４０を押して角膜形状測定を実行する。測定開始スイッチ４０のトリガ信号により、作動距離検出用の光源１１１は消灯されると共に、照明光源１０３が点灯され、ＣＣＤカメラ３８によってプラチドリング像が撮像される。光源１１１を消灯するのは、その反射光がＣＣＤカメラ３８に入射し、プラチドリング像の検出に影響するためである。
【００２４】
ＣＣＤカメラ３８からの画像信号は画像処理部５１に出力される。画像処理部５１では、ＣＣＤカメラ３８から出力された画像信号について、測定開始スイッチ４０によるトリガ信号のタイミングから次の１フレーム分（カメラの走査方式が飛び越し走査方式の場合は、奇数フィールドと偶数フィールドをセットにして１フレームとする）の画像がフレームメモリに取り込まれる。この画像についてプラチドリング像のコントラストが適切か否かが、制御部５０により判定される。その判定は、例えば、前眼部画像の虹彩領域（例：角膜中心から半径１〜３ｍｍ付近）の輝度の平均値を求め、その平均値が所定の許容範囲にあるか否かで判定する。コントラストが適切でないと判定されたときは、制御部５０は光量調光部１０３ａを駆動して照明光源１０３の発光量を調整する。その調整は、輝度の平均値の基準レベルに対する差を基に、予め実験等により光量の調整量をプログラムしておく。例えば、茶色の虹彩を基準にプラチドリング像のコントラストが適切になるように照明光源１０３の発光光量が初期設定されているものとすると、青眼の場合には、虹彩からの反射光が強く、プラチドリング像のコントラストが低くなる。この場合には照明光量を下げるように調整する。
【００２５】
プラチドリングの光量調整が終了すると、その後にＣＣＤカメラ３８から出力される１フレーム分の前眼部画像が画像処理部５１のフレームメモリに取り込まれる。制御部５０は、上記と同様にそのコントラストの適否を確認し、適切であれば画像処理部５１により検出処理されるプラチドリング像のエッジ検出を基に、所定の角度（例：１度）ステップ毎に角膜中心に対する各エッジ位置を得ることにより角膜曲率分布を解析する。モニタ３９には、フレームメモリに取り込まれた前眼部画像が表示されると共に、プラチドリング像のエッジ検出をした結果がその画像に合成表示される。検者はこの表示画像を観察し、瞬きや睫毛の影響が無いか、開瞼状態は十分か、眼が動いて照準ずれが生じていないか、プラチドリング像のエッジ検出に問題が無いか、等の前眼部画像の適否を確認する。
【００２６】
ここで、測定開始の信号が入力された後に自動調光が行われると、解析に必要な画像を得るまでに時間を要するので、その間に被検眼が瞬きをしたり、動いたりする可能性が高くなり、結果的に適切な前眼部像が得られ難くなる。検者は、モニタ３９に表示された前眼部像を確認し、その画像が適切でない場合には、スイッチ部５２のキャンセルスイッチを押して再測定を行う。キャンセルスイッチによりモニタ３９の画面は、アライメント画面に切換えられる。
【００２７】
モニタ３９に表示された前眼部像が良好であった場合には、スイッチ部５２のセーブスイッチを押すことにより、角膜曲率分布の測定結果と共に、その測定に使用した前眼部像が右眼の測定情報としてメモリ５３に記憶される。また、その測定時の測定条件である照明光源１０３の発光光量の情報も記憶される。
【００２８】
右眼の測定できたら、ジョイスティック４等の操作で本体部３を左眼の測定位置に移動し、同様にアライメントを完了させた後に、屈折力測定と角膜形状測定を行う。本体部３を左眼側に移動することにより、マイクロスイッチ１１からの出力信号から測定する眼が左眼であることが検知される。測定結果は、左眼の測定結果としてメモリ５３に記憶される。
【００２９】
上記の角膜形状測定において、測定開始信号の入力によりプラチドリングの照明光源１０３を点灯するのは、アライメント時から照明光源１０３を長い時間点灯しておくと、被検者が眩しがり、眼を細めるなどで良好な画像を得られにくくなるためである。また、屈折力測定との複合機では、その後に屈折力測定を行うようにした場合、調節が介入し易くなり、屈折力測定に影響する理由もある。
【００３０】
両眼の測定情報が終了した後、スイッチ部５２のデータ転送スイッチを押すと、メモリ５３に記憶された測定情報がデータベース部５５に転送される。データベース部５５では、被検者の識別情報（ＩＤ、名前）に関連付けられた眼屈折力の測定データ、角膜形状測定の測定結果、その測定画像、及び角膜形状測定時におけるプラチドリング照明の調光情報が、それぞれ左右眼の区別を付けられて記憶される。眼屈折力を同一眼で複数回の測定したときは、代表値が測定データとして転送される。代表値としては、例えば、複数の測定結果から導かれた中央値や平均値等が挙げられる。
【００３１】
次に、データベース部５５に測定情報が記憶・登録された被検者が再来し、その被検者の眼を測定する場合を説明する。スイッチ部５２のスイッチ操作によりデータベースの管理画面をモニタ３９に表示し、被検者の識別情報であるＩＤ又は名前を入力部５７により入力することにより被検者を特定し、データベース部５５に記憶されている前回の測定情報（最新の測定情報）を呼び出す。あるいは、管理画面に表示された被検者リストから被検者を選択することにより被検者を特定し、前回の測定情報を呼び出す。呼び出された測定情報はメモリ５３に記憶される。
【００３２】
まず、被検者の右眼を測定するために本体部３が右側に移動されると、マイクロスイッチ１１により測定する被検眼が右眼であることが検知される。（なお、コンビネーションモードのときは最初に屈折力測定モードとなる）この時、制御部５０はマイクロスイッチ１１による右眼の検知信号に基づいて、右眼に対応する屈折力情報を呼び出し、固視標光学系の固視標２９の初期位置を設定する。例えば、前回測定した右眼のＳ値（球面度数）が＋３．０Ｄであった場合には、その屈折力に相当する位置に固視標２９を位置させる。被検眼には、この初期値の固視標２９を見させる。前述と同様にしてアライメントが完了すると、制御部５０は、受光センサ部１２８が持つ各受光素子からの信号に基づいて予備測定としての屈折力が得た後、この屈折力の位置から所定の雲霧量分（１．６Ｄ分）だけ遠方に固視標２９を移動制御し、被検眼に雲霧を掛けた状態での屈折力を得る。そして、この測定で得られた屈折力と固視標２９の移動位置を屈折力に換算した値との差を演算し、その差が０．５Ｄ以内であればこのときの測定値を測定結果とする。
【００３３】
被検眼が遠視眼の場合（特に、Ｓ＋３．０Ｄより遠視側の場合）、固視標２９の初期値を前回の屈折力の位置としておくことにより、０Ｄの初期値から始める場合に比べ、調節の介入が少ないので、無駄な測定を何回も繰り返さずに済む。被検眼が近視眼の場合（特に、Ｓ−３．０Ｄより近視側の場合）、固視標２９の初期値を前回の屈折力の位置としておくことにより、被検眼は固視標２９をボケずに見ることができるので、固視が安定する。これにより、測定を精度良く、効率的に行えるようになる。
【００３４】
なお、前回の屈折力の測定情報に乱視度数があった場合には、その乱視度数に合わせて固視標２９の呈示位置を移動するようにしてもよい。例えば、Ｓ値にＣ値の半分を加えた等価球面値の位置とする。あるいは、Ｃ値をプラス読みとしたときのＳ＋Ｃの値（最もプラス側にある屈折力値）の位置とする。このように乱視度数を考慮して固視標２９の呈示位置を初期設定することにより、より固視及び雲霧を安定して行うことができる。
【００３５】
また、固視標２９の呈示位置を初期設定する方法としては、上記のように測定結果から求める他、前回測定時の固視標２９の位置を測定条件としてそのままデータベース部５５に記憶させておき、これを呼び出して初期設定する方法でも良い。
【００３６】
次に、角膜形状測定モードに移行すると、制御部５０は角膜形状測定の測定条件として、現在測定中の右眼の検知情報に基づいて右眼に対応する照明光源１０３の光量調整情報を呼び出す。前述と同様にアライメント調整が完了した後に、検者により測定開始スイッチ４０が押されると、制御部５０は呼び出した光量調整情報に従って照明光源１０３の発光時の初期設定をその光量となるように調光部１０３ａにより調整し、照明光源１０３を点灯する。角膜に投影されたプラチドリング像はＣＣＤカメラ３８によって撮像される。画像処理部５１では、ＣＣＤカメラ３８から出力された画像信号について、測定開始スイッチ４０によるトリガ信号のタイミングから次の１フレーム分の画像がフレームメモリに取り込まれる。制御部５０は、画像処理部５１により検出処理されるプラチドリング像のエッジ検出を基に角膜曲率分布を解析する。このとき、制御部５０は前述と同様にプラチドリング像のコントラストの適否を確認するが、照明光源１０３の発光時の初期設定が前回の測定時と同じものにされているので、殆どの場合は改めて自動調整する必要が無い。このため、測定開始スイッチ４０を押してから被検眼が瞬きをしたり動いたりする可能性が少なくなり、プラチドリング像の解析に適切な前眼部像が得られやすくなる。よって、正確な測定結果が得られ、再測定の必要性も少なくなる。
【００３７】
以上の実施形態では一つの眼科測定装置がデータベース部５５を備えるものとしたが、データベース部５５に記憶・保存された被検者毎の測定情報を複数の眼科測定装置で共有できるようにしても良い。このような構成とすれば、前回測定した測定装置と異なる測定装置であっても、データベース部５５に記憶された測定情報を利用して、測定条件の初期状態をその被検者毎に適した状態に設定することができる。
【００３８】
また、眼屈折力測定時の固視標２９の初期設定においては、データベース部５５に記憶した測定情報を呼び出して設定する他、カルテ等に記録された前回の左右眼の測定結果をスイッチ部５２又は入力部５７により入力してメモリ５３に記憶させることでも良い。制御部５０は、上記と同様にメモリ５３に記憶された前回の測定情報と左右眼の検知情報（入力情報）に基づいて固視標２９の初期位置を設定する。
【００３９】
図５は、眼屈折力測定光学系の変容例を示す図である。なお、固視標光学系、アライメント光学系及び観察光学系については、本発明とは関連が薄いため、説明及び図示を省略する。測定光学系は、投影光学系２０１と受光光学系２１０から構成される。投影光学系２０１は、赤外光を発するスリット照明光源２０２、多数のスリット開口２０３ａが設けられた円筒状の回転セクター２０３、回転セクター２０３を回転するモータ２０４、投影レンズ２０５により構成されている。光源２０２は、被検眼角膜近傍と共役な位置に位置する。２０６はビームスプリッタである。光源２０２を発した赤外の光は、回転セクター２０３のスリット開口２０３ａを照明する。回転セクター２０３の回転により走査されたスリット光束は、投影レンズ２０５を経た後にビームスプリッタ２０６で反射され、被検眼Ｅの角膜近傍で集光した後、眼底に投影される。
【００４０】
制御系２５０の構成は、図１の装置の制御系とほぼ同一であり、同じ番号の付したものは同様の機能を備えるものとする。制御系２５０は、制御部５０、メモリ５３、入力部５７、データベース部５５を備える。
【００４１】
受光光学系２１０の光路上には、受光レンズ２１１、３つの絞り２１２ａ，２１２ｂ，２１２ｃ、受光部２１３が配置されている。絞り２１２ａ，２１２ｂ，２１２ｃは開口径が可変であり、測定時にはいずれかが選択的に所定の径に絞れ込まれる。また、この３つの絞り２１２ａ，２１２ｂ，２１２ｃは、受光レンズ２１１に関して順に、−５．０Ｄの近視眼眼底と共役な位置、０Ｄの正視眼眼底と共役な位置、＋５．０Ｄの遠視眼眼底と共役な位置にそれぞれ位置している。受光部２１３はその受光面に、受光レンズ１１に関して被検眼角膜と略共役（又は瞳と略共役）な位置に位置するスリット光の走査方向と平行に計８個の受光素子２１５を有している。これらの受光素子は、角膜における経線方向の異なる高さ位置に対応した屈折力を検出できるように、その配置距離が設定されている。一方、受光素子２１６ａと２１６ｂは、光軸Ｌ1 を中心に受光素子２１５と直交する経線上で対称になるように設けられている。
【００４２】
ここで、位相差を利用した眼屈折力測定においては、０Ｄの正視眼眼底と共役な位置にある絞り２１２ｂのみあった場合、受光素子２１５が中心から離れる程、測定可能範囲が狭くなる。これに対して、絞り２１２ａ、２１２ｂ、２１２ｃのいずれかを屈折力に応じて選択的に所定の径に絞り込むことにより、屈折力の検出範囲を変えることができ、測定可能範囲を拡大することができる。なお、この詳細については、特開平11−70073号公報を参考にされたい。
【００４３】
図５の構成の装置における動作を簡単に説明する。まず、予備測定を行い、制御回路５０は予備測定により得られる結果から、最も適切な測定範囲を確保できるように、絞り２１２ａ〜２１２ｃから本測定に使用するものを選択する。例えば、測定結果が−４Ｄより近視側であれば、絞り２１２ａの径が絞り込まれ、＋４Ｄより遠視側であれば、絞り２１２ｃの径が絞り込まれ、その他の絞りは開放された状態にする。いずれの絞りを使用するかは、予備測定の屈折力の結果に対応させるように予め設定しておけば良い。
【００４４】
測定の実行に際しては、投影光学系２０１からはスリット開口２０３ａにより制限されたスリット光束が瞳孔を介して眼内に入射し、眼底上に投影される。眼底で反射され光は、上記のように切換えられた絞り２１２ａ〜１２ｃを通過し、受光部２１３上に届く。受光部２１３上では眼底で反射された光が被検眼Ｅの屈折力に応じて横切るように移動する。この時、測定経線方向に位置する８個の受光素子２１５での位相差をそれぞれ検出する。
【００４５】
このようにして一経線における各角膜部位での位相差が得られたら、これと測定に使用した絞り（２１２ａ〜２１２ｃ）の位置に基づいて屈折力を換算する。次に、それらを所定の角度ステップ（例えば１度）で光軸Ｌ２を中心に１８０度回転させる。各受光素子からの信号に基づいて各回転位置での屈折力を得る。その測定結果をデータベース部５５にに転送して記憶しておく
そして、再診時においては、前述したように被検者の識別情報を入力することにより被検者を特定し、データベース部５５に記憶されている前回の測定情報を呼び出す。呼び出された測定情報はメモリ５３に記憶される。そして、制御部５０は屈折力分布測定の測定条件として、左右眼の区別に対応した屈折力情報を呼び出し、屈折力情報に基づいて絞り２１２ａ〜２１２ｃのいずれかを絞り込み、その他の絞りを開放させた状態にする。このように、再診の測定時には、眼屈折力測定光学系中の光学素子である絞り２１２ａ〜２１２ｃが、呼び出された測定情報に基づいて初期設定されるので、測定が簡略化され、正確な測定結果が得られる。
【００４６】
眼屈折力測定光学系中の光学素子を被検眼の屈折力に応じて変化させる構成としては、測定光源や受光素子を眼底と共役な位置に置くために、測定光源や受光素子を直接移動又はリレーレンズを移動するタイプのものがある。この種の眼屈折力測定光学系においても、データベースに記憶されている前回の測定情報に基づいて、受光素子等の光学素子を初期設定しておけば、測定が簡略化でき、正確な測定結果が得られ易くなる。
【図面の簡単な説明】
【００４７】
【図１】本発明に係る眼科測定装置の外観略図である。
【図２】被検眼の左右眼検知機構の概略構成を説明する図である。
【図３】測定部に収納される光学系を示す図である。
【図４】本装置の制御系ブロック図である。
【図５】眼屈折力測定光学系の変容例を示す図である。
【符号の説明】
【００４８】
１０  平坦部
１１  マイクロスイッチ
２９  固視標
３０  照明光源
３１  駆動部
３８  ＣＣＤカメラ
５０  制御部
５５  データベース
１０１  角膜形状測定用視標
２１２ａ〜２１２ｃ  絞り
【図１】
2005137662.tif 000003
【図２】
2005137662.tif 000004
【図３】
2005137662.tif 000005
【図４】
2005137662.tif 000006
【図５】
2005137662.tif 000007